(57)【要約】      （修正有）【課題】小型、軽量で、かつ操作性、安全性、利便性に優れ、必要時にロックを行なうことができる鍵付きスナップホックを提供する。【解決手段】雌ホック１は、雄ホック２のタボ４が挿入される凹状空間部を有する回転部材９と、タボの着脱を規制する開口部を有するロック片２４とを有し、回転部材は、その表側面に露出するように鍵当接部を有し、回転可能な様に上部ケース８の開口部内に嵌装され、ロック片は回転部材の回転と協動する様にされており、雄ホックのタボは、長軸と短軸とを有する先端拡大部がロック片の開口部を貫通して回転部材の凹状空間部に装嵌できるようになっており、鍵２０による回転部材の回転によりロック片の開口部が雄フックのタボの開放位置に位置したとき、雄ホックと雌ホックとの施錠、又は雄ホックと雌ホックとの解錠ができ、ロック片の開口部が雄フックのタボのロック位置に位置したとき、雄ホックと雌ホックの施錠がロックされる。【選択図】図１
2013014917.tif 000002
【特許請求の範囲】
【請求項１】
錠部を有する雌ホックと、ダボを有する雄ホックとから留め具であって、
前記雌ホックは、雄ホックのタボが挿入される凹状空間部を有する回転部材と、回転部材が挿入される開口部を有する、スナップホックの表側に位置する上部ケースと、雄ホックのタボが挿入される開口部を有する、スナップホックの裏側に位置する下部ケースと、挿入されるタボの着脱を規制する開口部を有するロック片とを有しており、前記回転部材は、その表側面に露出するように鍵当接部を有し、かつ回転可能な様に上部ケースの開口部内にクリックばねを介して嵌装されており、回転部材の底部はスナップリング及びロック片を介して底部ケースに支承されるように、かつロック片は回転部材の回転と協動する様にされており、
一方、前記雄ホックのタボは、凸タボ台座と、中間軸部と、その先端方向に長軸と短軸を有する先端拡大部とを有し、当該先端拡大部はロック片の開口部を貫通して回転部材の凹状空間部に装嵌できるようになっており、
前記回転部材の回転によりロック片の開口部が、雄フックのタボの開放位置に位置したとき、雄ホックと雌ホックとの施錠、又は雄ホックと雌ホックとの解錠ができるようになっており、前記回転部材の回転によりロック片の開口部が、雄フックのタボの規制位置に位置したとき、雄ホックと雌ホックの施錠がロックされるように構成されていることを特徴とする鍵付きスナップホック。
【請求項２】
回転部材の鍵当接部の表面部は、鍵の鍵先部に形成された凸状及び／又は凹状のパターンに合致する、凹状及び／又は凸状のパターンを有していることを特徴とする請求項１に記載の鍵付きスナップホック。
【請求項３】
雄ホックのタボの先端拡大部の横断面の形状は、長軸と短軸とを有する長円形状、楕円形状、あるいは角部に丸みが形成された長方形状であることを特徴とする請求項１又は２に記載の鍵付きスナップホック。
【請求項４】
ロック片の開口部の形状は、雄ホックのタボの先端拡大部の横断面に対応する、長軸と短軸とを有する長円形状、楕円形状、あるいは角部に丸みが形成された長方形状であることを特徴とする請求項１〜３のいずれか１項に記載の鍵付きスナップホック。
【請求項５】
雄ホックのタボの中間軸部は、ロック片の開口部内を回転自在に遊嵌されるように構成されていることを特徴とする請求項１〜４のいずれか１項に記載の鍵付きスナップホック。
【請求項６】
前記回転部材の回転によりロック片の長円形状、楕円形状、あるいは角部に丸みが形成された長方形状の開口部の長軸側が、長円形状、楕円形状、あるいは角部に丸みが形成された長方形状の雄ホックのタボの先端拡大部の長軸側に合致したとき、雄ホックと雌ホックとの施錠、又は雄ホックと雌ホックとの解錠ができるようになっており、一方、前記回転部材の回転によりロック片の長円形状、楕円形状、あるいは角部に丸みが形成された長方形状の開口部の長軸側が、長円形状、楕円形状、あるいは角部に丸みが形成された長方形状の雄ホックの先端拡大部の長軸側に交差したとき、雄ホックと雌ホックとの施錠、又は雄ホックと雌ホックとの施錠がロックされるように構成されていることを特徴とする請求項３〜５のいずれか１項に記載の鍵付きスナップホック。
【請求項７】
回転部材の９０度の回転により、ロック片の開口部が、雄フックのタボの開放位置に位置したとき、雄ホックと雌ホックとの施錠、又は雄ホックと雌ホックとの解錠ができるようになっており、又前記回転部材の９０度の回転によりロック片の開口部が、雄フックのタボの規制位置に位置したとき、雄ホックと雌ホックの施錠がロックされるように構成されていることを特徴とする請求項１〜６のいずれか１項に記載の鍵付きスナップホック。
【請求項８】
請求項１〜７のいずれか１項に記載の鍵付きスナップホックを備えた施錠、解錠機構を有する製品。
【請求項９】
請求項１〜７のいずれか１項に記載の鍵付きスナップホックを備えたかばん類製品。
【請求項１０】
請求項１〜７のいずれか１項に記載の鍵付きスナップホックを備えた衣類製品。
【請求項１１】
請求項１〜７のいずれか１項に記載の鍵付きスナップホックを備えた介護用製品。
【発明の詳細な説明】
【技術分野】
【０００１】
本発明は、施錠、解錠が容易な、小型化、軽量化された鍵付きスナップホックに関し、特にかばん類製品、衣類製品、介護用製品、その他留め具を必要とする製品として有用な鍵付きスナップホックに関する。
【背景技術】
【０００２】
一般に、ハンドバック、手提げかばん、ショルダーバック、ポーチ、セカンドバック、その他のかばん類製品や、財布などの携帯品、衣服製品類などにおいて、例えば、これらの二つの部材、部品、あるいは布地等を開かないように留める留め具として、ダボを有する雄ホックと、当該ダボが嵌合する凹状部を有する雌ホックとからなるスナップホックが広く使用されている。このようなスナップホックとしては、その使用形態との関係から大きさに制限があり、鍵をかけて不特定の人が自由に開けられないような製品は、実用化されていなかった。
【発明の概要】
【発明が解決しようとする課題】
【０００３】
本発明は、必要に応じて鍵をかけて不特定の人が自由に開けられないようにされる、小型化が可能で、その鍵の施錠、解錠の操作が容易で、かつ利便性に優れたスナップホック、及びこのような鍵付きスナップホックを備えたかばん類製品、携帯品、衣類製品、介護用製品、日用品類を含むその他の施錠、解錠が必要とされる各種製品を提供することを目的とする。
【課題を解決するための手段】
【０００４】
本発明者は、前記の課題を解決するために、鋭意検討した結果、本発明に至ったものである。即ち、本発明は、下記の鍵付きスナップホック、及び、特に当該鍵付きスナップホックを備えたかばん類製品、携帯品、衣類製品、介護用製品、日用品を含むその他の施錠、解錠が必要とされる各種製品を提供するものである。
（１）錠部を有する雌ホックと、ダボを有する雄ホックとからスナップホックであって、
前記雌ホックは、雄ホックのタボが挿入される凹状空間部を有する回転部材と、回転部材が挿入される開口部を有するスナップホックの表側に位置する上部ケースと、雄ホックのタボが挿入される開口部を有するスナップホックの裏側に位置する下部ケースと、挿入されるタボの着脱を規制する開口部を有するロック片とを有しており、前記回転部材は、その表側面に露出するように鍵当接部を有し、かつ回転可能な様に上部ケースの開口部内にクリックばねを介して嵌装されており、回転部材の底部はスナップリング及びロック片を介して底部ケースに支承されるように、かつロック片は回転部材の回転と協動する様にされており、
一方、前記雄ホックのタボは、凸タボ台座と、中間軸部と、その先端方向に長軸と短軸を有する先端拡大部とを有し、当該先端拡大部はロック片の開口部を貫通して回転部材の凹状空間部に装嵌できるようになっており、
前記回転部材の回転によりロック片の開口部が、雄フックのタボの開放位置に位置したとき、雄ホックと雌ホックとの施錠、又は雄ホックと雌ホックとの解錠ができるようになっており、前記回転部材の回転によりロック片の開口部が、雄フックのタボの規制位置に位置したとき、雄ホックと雌ホックの施錠がロックされるように構成されていることを特徴とする鍵付きスナップホック。
【０００５】
（２）回転部材の鍵当接部の表面部は、鍵の鍵先部に形成された凸状及び／又は凹状のパターンに合致する、凹状及び／又は凸状のパターンを有していることを特徴とする上記（１）に記載の鍵付きスナップホック。
（３）雄ホックのタボの先端拡大部の横断面の形状は、長軸と短軸とを有する長円形状、楕円形状、あるいは角部に丸みが形成された長方形状であることを特徴とする上記（１）又は（２）に記載の鍵付きスナップホック。
（４）ロック片の開口部の形状は、雄ホックのタボの先端拡大部の横断面に対応する、長軸と短軸とを有する長円形状、楕円形状、あるいは角部に丸みが形成された長方形状であることを特徴とする上記（１）〜（３）のいずれかに記載の鍵付きスナップホック。
（５）雄ホックのタボの中間軸部は、ロック片の開口部内を回転自在に遊嵌されるように構成されていることを特徴とする上記（１）〜（４）のいずれかに記載の鍵付きスナップホック。
【０００６】
（６）前記回転部材の回転によりロック片の長円形状、楕円形状、あるいは角部に丸みが形成された長方形状の開口部の長軸側が、長円形状、楕円形状、あるいは角部に丸みが形成された長方形状の雄ホックのタボの先端拡大部の長軸側に合致したとき、雄ホックと雌ホックとの施錠、又は雄ホックと雌ホックとの解錠ができるようになっており、一方、前記回転部材の回転によりロック片の長円形状、楕円形状、あるいは角部に丸みが形成された長方形状の開口部の長軸側が、長円形状、楕円形状、あるいは角部に丸みが形成された長方形状の雄ホックの先端拡大部の長軸側と交差したとき、雄ホックと雌ホックとの施錠、又は雄ホックと雌ホックとの施錠がロックされるように構成されていることを特徴とする（３）〜（５）のいずれかに記載の鍵付きスナップホック。
【０００７】
（７）回転部材の９０度の回転により、ロック片の開口部が、雄フックのタボの開放位置に位置したとき、雄ホックと雌ホックとの施錠、又は雄ホックと雌ホックとの解錠ができるようになっており、又前記回転部材の９０度の回転によりロック片の開口部が、雄フックのタボの規制位置に位置したとき、雄ホックと雌ホックの施錠がロックされるように構成されていることを特徴とする上記（１）〜（６）のいずれかに記載の鍵付きスナップホック。
【０００８】
（８）上記（１）〜（７）のいずれかに記載の鍵付きスナップホックを備えた施錠、解錠機構を有する製品。
（９）上記（１）〜（７）のいずれかに記載の鍵付きスナップホックを備えたかばん類製品。
（１０）上記（１）〜（７）のいずれかに記載の鍵付きスナップホックを備えた衣類製品。
（１１）上記（１）〜（７）のいずれかに記載の鍵付きスナップホックを備えた介護用製品
【発明の効果】
【０００９】
本発明によれば、従来のスナップホックの機能を維持し、更に、必要時、スナップホックの雌ホックと雄ホックの施錠を任意に行なうことができ、更に部品点数も少なく、小型化、軽量化することができ、又意匠性、ファッション性の高い鍵付きスナップホック、及びかかる鍵付きスナップホックを備えたかばん類製品、携帯品、衣類製品、介護用製品、日用品を含むその他の施錠、解錠が必要とされる各種製品を提供することができる。
【図面の簡単な説明】
【００１０】
【図１】本発明の一実施形態に係わる鍵付きスナップホックの雌ホック１と雄ホック２とが嵌着する状態の概略断面図。
【図２】本発明の鍵付きスナップホックのダボの概略を示す斜視図。
【図３】本発明の鍵付きスナップホックのダボの一例の概略を示す側面図。
【図４】本発明の鍵付きスナップホックのロック片の一例の概略を示す平面図。
【図５】本発明の鍵付きスナップホックの底部ケースの一例の概略を示す平面図。
【図６】本発明の鍵付きスナップホックの雌ホックの一例の概略を示す分解図。同図において、（ａ）〜（ｇ）は各部品の縦断面図を示し、（ａ´）〜（ｇ´）は各部品の平面図を示す。
【図７】本発明の一例の鍵付きスナップホックの施錠、解錠の操作を示す説明図。
【図８】本発明に係わる鍵付きスナップホックを使用したかばん類製品の正面図。
【図９】本発明に係わる鍵付きスナップホックを使用した介護用寝間着の正面図。
【発明を実施するための形態】
【００１１】
次に本発明の鍵付きスナップホックを図１〜７の図面に基づいて具体的に説明する。図面は本発明の好ましい実施形態を例示したものであり、本発明は例示の図面とその説明に限定されない。また、図面の同一機能を有する部品には、理解を容易にするため同一符号を付して説明する。
図１は本発明に係る鍵付きスナップホックの好ましい実施形態の一つで、雌ホック１と雄ホック２とが嵌着する状態の断面図を示している。雌ホック１は、スナップリング３を具備し、雄ホック２はダボ４を有しており、雌ホック１と雄ホック２は離脱しないように、ダボ４がスナップリング３により係止されるようになっている。
【００１２】
前記雌ホック１は、止め鋲５によりかばん類製品、衣類製品、その他各種製品の基材６に取り付けられる上部ケース８と底部ケース７とを具備し、上部ケース８と底部ケース７との間に、スナップリング３、回転部材９及びクリックばね１０を組み込んで錠部が構成されており、雄ホック２のダボ４に係合したスナップリング３を回転部材９で係止し、さらにこの係止が開放されないように回転部材９をクリックばね１０で付勢している。
一方、雄ホック２は、ダボ４がそのダボ台座１１とダボ裏座１２によって基材６に取り付けられるようになっており、該ダボ４に雌ホック１のスナップリング３が係合するようになっている。
【００１３】
雄ホック２のタボ４は、図２、３に示されるように、タボ台座１１の上方向に延びる中間軸部４１と、その先端方向に長軸と短軸を有する先端拡大部４２とを有している。当該先端拡大部４２は後述するロック片２４の開口部３０を貫通して回転部材９の凹状空間部に装嵌できるようになっている。又、先端拡大部４２の下端の周縁には、スナップリング３を係合するための係合凹部４３がその全周に形成されている。
タボ４の先端拡大部４２の形状は、当該ダボの先端拡大部の横断面図を示す図２の（ｂ）に示されるように、長軸Ａと短軸Ｂとを有し、その横断面の形状は、長円形状、楕円形状、あるいは４つの角部に丸みが形成された長方形状であって、その長軸に対し左右対称の形状とされるのが好ましい。又、タボ４の中間軸部４１の横断面の形状は、底部ケース７及びロック片２４の開口部３０の短軸側が遊嵌すればよく、代表的には円形とするのが好ましい。先端拡大部４２の短軸Ｂの部分は中間軸部４１の延長状となっており、その短軸Ｂの長さは、中間軸部４１の直径の長さと同じか、同程度とするのが好ましい。
ダボ４の材質としては、例えば真鍮やステンレス鋼などの金属が好ましく用いられる。
【００１４】
雌ホック１の表側の構成部材の一つである上部ケース８は、図６の（ｂ）に示されるように、天部１３を有し、天部１３の中央部には回転部材９の円形状の天部１４が貫通する円形状の開口部１５が設けられており、天部１３の周りに周側部１６を有するキャップ状体である。上部ケース８の材料としては、各種金属、高強度プラスチックなどの材料、例えば、１８−８ステンレス鋼、真鍮、亜鉛、アルミニウムなどの非磁性の金属材料で形成されるのが好ましい。
【００１５】
回転部材９は、図６の（ａ）に示されるように、その天部１４が上部ケース８の開口部１５に嵌入されるようになっており、この開口部１５内で回転部材９の天部１４は回転できるようにされている。一方、回転部材９の下方中央部を囲む領域には、凹状空間部１７が形成されており、凹状空間部１７を囲む裾部１８の外周部は底部ケース７の略円筒部２８内において摺動回転可能な様に装嵌されている。又、回転部材９は、回転可能な様に上部ケース８の開口部１５内にクリックばね１０を介して嵌装されており、回転部材９の底部はスナップリング３及びロック片２４を介して底部ケース８に支承されている。又、回転部材９の上部の側面部と上部ケース８との間には、クリックばね１０が装着され、クリックばね１０のばね部３２により回転部材９を付勢するようになっている。クリックばね１０は、雌ホック１と雄ホック２とが係止されている状態では、付勢する弾性力で回転部材９の動作を拘束し、回転部材９がスナップリング３に対する係止を保持する役割を有している。
【００１６】
又、前記回転部材９は、天部１４において、その表側面に露出するように鍵当接部１９が設けられている。当該回転部材９の鍵当接部１９の表面部は、鍵２０の鍵先部２１に形成された凸状及び／又は凹状の鍵パターン２２に合致する、凹状及び／又は凸状の反転鍵パターン２３を有している。例えば、図１の様に、鍵２０の鍵先部２１に形成された凸状の所定文字、図柄、模様、記号等の鍵パターン２２（即ち、雄型鍵パターン）に対応し、合致するように、回転部材９の鍵当接部１９の表面部には、凹状の所定文字、図柄、模様、記号等の反転鍵パターン２３（即ち、雌型鍵パターン）が形成されている。図１に例示した反転鍵パターン２３はＴ字状の雌型鍵パターンを形成した例である。勿論、鍵の鍵先部に形成された凹状の鍵パターン（即ち、雌型鍵パターン）に対応し、合致するように、回転部材の鍵当接部の表面部に、凸状の反転鍵パターン（即ち、雄型鍵パターン）が形成されてもよい。あるいは又、鍵の鍵先部の鍵パターンを凹状及び凸状とを組み合わせたパターンとし、鍵当接部１９の反転鍵パターンを当該鍵パターンに合致する凸状及び凹状とを組み合わせたパターンとしてもよい。かかる鍵パターン及び反転鍵パターンは、デザイン、意匠性、ファッション性、利便性、差別化等の面を考慮して所望のパターンを選択することができる。
【００１７】
本例の回転部材９は、円環状のスナップリング３を内側の下方に納めることができるような略円錐台状に形成されており、略円錐台状の裾部１８側であって、その内側の内周方向に沿ってスナップリング３用の係合受け部２７が設けられている。このように、回転部材９にスナップリング３の係合受け部２７を設けると、回転部材９でスナップリング３を確実に係止できる。
【００１８】
ロック片２４は、底部ケース７の略円筒状部２５の内周側の雄ホック側において、回転部材９の裾部１８の下方に配されたスナップリング３と、底部ケース部７の開口部２６の縁部屈曲部２８との間に配され、回転部材９が回転したとき、回転部材９と協動して回転するようになっている。ロック片２４の形状は、図６の（ｄ）に示されるように、底部２９に開口部３０を有するキャップ状の形状を有している。
ロック片２４の開口部３０の形状は、ダボ４の先端拡大部４２が貫通することができるように、先端拡大部４２の形状と相応し、その最大の長軸、短軸の長さより僅かに大きい寸法とされるのが好ましい。例えば、雄ホックのタボの先端拡大部の横断面の形状が、長軸と短軸とを有する長円形状、楕円形状、あるいは角部に丸みが形成された長方形状であって、その長軸に対し左右対称の形状である場合には、このタボ４の先端拡大部の長軸と短軸とを有する長円形状、楕円形状、あるいは角部に丸みが形成された長方形状に対応した形状であって、僅かに大き目の形状にされるのが好ましい。
【００１９】
即ち、図４に示されるように、ロック片２４の開口部３０の長軸の長さＡ‘は、ダボ４の先端拡大部４２の長軸Ａの長さよりも僅かに長い長さとされ、又、ロック片２４の開口部３０の短軸の長さＢ‘は、ダボ４の先端拡大部４２の短軸Ｂの長さよりも僅かに長い長さとされる。又、ロック片２４は、ダボ４の中心軸を中心として回転できるように底部ケース７の略円筒状部２５に納められている。ロック片２４が回転し、ロック片２４の開口部の長軸側が、ダボ４の先端拡大部４２の長軸側と合致したときが、ダボ４の開放位置であり、雄ホックと雌ホックとの施錠、又は雄ホックと雌ホックとの解錠ができるようになっており、又ロック片２４が回転し、ロック片２４の開口部３０の長軸側が、ダボ４の先端拡大部４２の短軸側と交差したとき（即ち、ダボ４の先端拡大部４２がロック片４２の開口部から抜けなくなった位置）が、ダボ４の規制位置、即ちロック位置である。
【００２０】
例えば、図７（ａ）に示すように、前記回転部材９の９０度の回転によりロック片２４が協動・回転して、ロック片２４の開口部３０が、雄フック２のタボ４の規制位置（即ちロック位置）に位置したとき、雄ホック２と雌ホック１の施錠がロックされ、又、図７（ｂ）に示すように、更に回転部材が９０度回転し、ロック片２４が協動してその開口部３０が、雄フックのタボの開放位置（即ちオープン位置）に位置したとき、ロック片２４の開口部３０と底部ケース７の開口部２６からダボ４の先端拡大部４２が抜け、雄ホックと雌ホックとが解錠できるようになっている。
なお、図７において、（１）は、回転部材９の平面説明図であり、ロック位置とオープン位置を説明し、（２）は、ダボ４の長軸側を示した概略断面を説明し、（３）は、底部ケース７に対するロック片２４の開口部の向きを示している。図７の（３）において、線ｌはロック片２４の開口部３０の内周縁を示し、ｍはダボ４の中間軸部４１の外周を示している。
上記したように、ロックの解錠、施錠が９０度毎の回転部材９の施錠位置、及び解錠位置を分かりやすくし、その位置が振動、衝撃などで容易にずれないように、上部ケース８の所望の位置には、回転部材の位置を保持するクリック装置を付するのが好ましい。
【００２１】
底部ケース７は、前記した上部ケース８と組み合わさって雌ホック１の底部（即ち、雄ホック側）を構成する部品で、当該底部ケース７は、内部にスナップリング３等を組み込むための空間部を確保するための略円筒状部２５を有しており、該略円筒状部２５の底部には開口部２６が設けられており、該開口部２６から雄ホック２のダボ４の中間軸部４１と先端拡大部４２が、略円筒状部２５に出し入れできるようになっている。したがって、開口部２６の開口部の寸法は、雄ホック２のダボ４の先端拡大部４２の横断面の寸法より僅かに大きいことが好ましい。
即ち、図５に示されるように、底部ケース７の開口部２６の長軸の長さＡ’’は、ダボ４の先端拡大部４２の長軸Ａの長さよりも僅かに長い長さとされ、又、底部ケース７の開口部２６の短軸の長さＢ’’は、ダボ４の先端拡大部４２の短軸Ｂの長さよりも僅かに長い長さとされる。なお、本発明の鍵付きスナップホックの底部ケース７としては、各種金属、高強度プラスチックなどの材料が使用できる。
【００２２】
底部ケース７は、基材６に止め鋲５を利用して取り付けられ、固定される。底部ケース７の略円筒状部２５内においてロック片２４は回転できるように収納されており、前述したように、ロック片２４の回転により、ロック片２４の開口部３０と底部ケースの開口部２６の長軸同士が一致したり、直交、交差したりするようになっている。即ち、ロック片２４の開口部３０と底部ケースの開口部２６の長軸同士を一致させると、ダボ４の先端拡大部４２が、両方の開口部２６及び３０を貫通して回転部材９の凹状空間部１７に納まるようになっており、この先端拡大部４２が納まった状態でロック片２４の開口部３０と底部ケースの開口部２６の長軸同士を直交させると、この先端拡大部４２がロック片２４の開口部３０から抜けなくなり、ロック状態となる。
【００２３】
スナップリング３としては、弾性リング、即ちリング状ばねが使用されている。雄ホック２のダボ４が雌ホック１に挿入され、ダボ４がスナップリング３に挿入されたとき、該ダボ４の係合凹部４３に嵌入して、雌ホックと雄ホックとを係止する機能を持っている。
雄ホック２のダボ４の係合凹部４３に前記スナップリング３が係合した状態で、外方向に広がらないように、回転部材９の係合受け部２７でスナップリング３を係止し、更にクリックばね１０を回転部材９に付勢させて、この係止が開放されないようにし、雄ホック２のダボ４がスナップリング３から離脱するのを防止している。
【００２４】
前記スナップリング３は雄ホック２のダボ４に形成されている係合凹部４３の最小径とほぼ同じ径と適度の弾性を持っているので、ダボ４でスナップリング３を押し広げながら係合凹部４３に係合できる。この係合の際、上部ケース８と回転部材９との間にクリックばね１０が介在されているので、クリックばね１０の付勢によって回転部材９が押し上げられるのを防ぐことができる。
【００２５】
止め鋲５は、前記上部ケース８及び底部ケース７を基材６に取り付けるための部品で、止め鋲５の中央は、前記上部ケース８及び底部ケース７が挿通できる所定の大きさに開口しており、かつ該開口の周縁に円筒状の止め片３１がほぼ直立して形成されており、該止め片３１の円筒内部に前記底部ケース７の略円筒状部２５が好ましく嵌合できるようになっている。この止め鋲５は、例えば真鍮板を所定の形状に切り抜き、これをプレス成形加工することにより得ることができる。
【００２６】
この止め鋲５で底部ケース７及び上部ケース８を基材６に取り付けるには、基材の雌ホック３を取り付ける箇所に予め止め鋲５の止め片３１の大きさに合わせて孔を明け、該孔に基材の裏側から止め鋲５の止め片３１を通して該止め鋲５の止め片３１内に底部ケース７の略円筒状部２５を嵌合し、さらに上部ケース８を重ね合わせ、止め片３１の先端部と底部ケース７及び上部ケース８の縁部とを重ね合わせた状態で一緒に折り曲げることにより得られる。この場合、止め鋲５の止め片３１の先端部を図示のように波形に加工しておくと、前記折り曲げが容易となる。しかし、雌ホック１の基材への取り付け方法は、汎用のホックや留め具で実施されている方法でもよく限定されない。
【００２７】
本発明の鍵付きスナップホックにおいては、雌ホックと雄ホックとの施錠、ロック、解錠は、例えば次のようにして行なわれる。
即ち、回転部材９を回転させ、ロック片２４を開放位置（オープン位置）にセットし、雄ホック２のダボ４を、雌ホック１の錠部を構成する回転部材９の凹状空間部１７に挿入して、ダボ４の係合凹部４３に雌ホック１の下部に位置するスナップリング３を係合させ、更にダボ４を押し上げてスナップリング３を回転部材９の裾部１８の係合受け部２７と係合させ、雌ホック１と雄ホック２とを施錠させる。この施錠をロックしようとする場合には、回転部材９の天部１４の鍵当接部１９を利用して、回転部材９を回転させ、ロック片２４を規制位置にセットさせることにより施錠のロックが完了する。
雌ホック１と雌ホックとがロックされた施錠を解除するには、回転部材９の天部１４の鍵当接部１９に鍵２０を当接し、鍵２０を利用して回転部材９を回転させることにより、ロック片２４を開放位置（オープン位置）にセットすれば、雌ホック１と雌ホックを解錠することができ、雌ホック１と雌ホックとを引っ張り、両者を引きはがすことができる。
【００２８】
特に、前記回転部材９の天部１４の鍵当接部１９を凹状の雌型鍵パターンとし、一方、鍵２０の鍵先部２１を、前記雌型鍵パターンと合致する凸状の雄型鍵パターンとすれば、鍵先部２１と鍵当接部１９とを合わせる操作が容易、かつ確実に行なうことができ、雌ホックと雌ホックとの施錠、解錠、ロックの操作を容易、かつ確実に行なうことができる。
【００２９】
図８は、本発明の鍵付きスナップホック５０を適用したかばん５１の一例を示したものであり、必要時に応じて、雌ホックのロック機能を働かした状態にしておけば、鍵で解錠しない限り、かばん５１の蓋を開けることができない。一方、雌ホックのロック機能を解除した状態にしておけば、鍵なしで、かばん５１の蓋を開けることができる。
図９は、本発明の鍵付きスナップホック６０を適用した介護用寝間着６１の一例を示したものであり、必要時に応じて、雌ホックのロック機能を働かすかした状態にしておけば、鍵で解錠しないと、介護用寝間着６１のファスナー６２を開けることができない。一方、雌ホックのロック機能を解除した状態にしておけば、鍵なしで、介護用寝間着６１のファスナー６２を開けることができる。
【産業上の利用可能性】
【００３０】
本発明の鍵付きスナップホックは、操作性、安全性、利便性に優れ、かつ小型化、軽量化が可能であり、更に意匠性、ファッション性を高めることができるので、かばん、ハンドバック、ショルダーバック、リュックサック、ポーチ、各種バック等のかばん類製品や、各種衣類製品、介護用寝間着・手袋／衣服等の介護用製品、各種日用品を含むその他鍵付きスナップホックを必要とする各種製品に対し、好適な鍵付きスナップホックとして使用することができ、又この鍵付きスナップホックを使用することにより、操作性、安全性、利便性に優れたかばん類製品、各種衣類製品、介護用製品、各種日用品を含むその他各種の製品を提供することができる。
【符号の説明】
【００３１】
１：雌ホック              ２：雄ホック            ３：スナップリング
４：ダボ４                ５：止め鋲              ６：基材
７：底部ケース            ８：上部ケース          ９：回転部材
１０：クリックばね        １１：ダボ台座          
１３：天部                １４：天部              １５：開口部
１６：周側部              １７：凹状空間部        １８：裾部
１９：鍵当接部            ２０：鍵                ２１：鍵先部
２２：鍵パターン          ２３：反転鍵パターン    ２４：ロック片
２５：略円筒状部          ２６：開口部            ２７：係合受け部
２８：縁部屈曲部          ２９：底部              ３０：開口部
３１：止め片              ３２：ばね部        
４１：中間軸部            ４２：先端拡大部        ４３：係合凹部
５０、６０：鍵付きスナップホック        ５１：かばん
６１：介護用寝間着        ６２：ファスナー
【図１】
2013014917.tif 000003
【図２】
2013014917.tif 000004
【図３】
2013014917.tif 000005
【図４】
2013014917.tif 000006
【図５】
2013014917.tif 000007
【図６】
2013014917.tif 000008
【図７】
2013014917.tif 000009
【図８】
2013014917.tif 000010
【図９】
2013014917.tif 000011